(57)【要約】【課題】  使い勝手と美観を向上させることができる、鏡を備えた水栓を提供する。【解決手段】  水栓本体１６の外面（上面１７）に鏡３０を備えた水栓１０において、鏡３０は角度が調節可能であり、水栓本体１６の外面（上面１７）に沿って配置されている。【選択図】図１
2019138000.tif 000002
【特許請求の範囲】
【請求項１】
水栓本体の外面に鏡を備えた水栓であって、前記鏡は角度が調節可能であり、前記水栓本体の前記外面に沿って配置されることを特徴とする水栓。
【請求項２】
前記鏡は、前記水栓本体の上部に設けられたことを特徴とする請求項１に記載の水栓。
【請求項３】
前記水栓本体は鏡操作部を備え、前記鏡は前記鏡操作部によって角度を調節可能としたことを特徴とする請求項１又は２に記載の水栓。
【発明の詳細な説明】
【技術分野】
【０００１】
本発明は、鏡を備えた水栓に関する。
【背景技術】
【０００２】
特許文献１の図５及び図６には、鏡を備えた水栓について記載されている。この水栓は、水栓本体上部の後方より垂直に立ちあがった平面部を有し、その平面部に鏡を設けたものである。  
【先行技術文献】
【特許文献】
【０００３】
【特許文献１】特開２００１−２７９７４３号公報
【発明の概要】
【発明が解決しようとする課題】
【０００４】
特許文献１の水栓において、鏡は一定の角度で立ち上がった状態でしか使用することができない。そのため、使用者は、水栓の前で歯磨きやメイク、髭剃り等を行う際に、顔の注視したい部分を鏡に映すために、自ら顔の角度姿勢等を変えて使う必要があり、不便であった。また、水栓本体上部の後方より立ち上がった平面部に鏡を有した構成であるため、意匠の自由度もなかった。本発明は、こうした実情に鑑みてなされたものであり、その目的は、鏡を備えた水栓において、使い勝手に優れるとともに美観に優れる水栓を提供することにある。
【課題を解決するための手段】
【０００５】
上記課題を解決するために、本発明では、水栓本体の外面に鏡を備えた水栓であって、前記鏡は角度が調節可能であり、前記水栓本体の前記外面に沿って配置されることを特徴とする。
【０００６】
上記構成において、前記鏡は、前記水栓本体の上部に設けられることが好ましい。
【０００７】
上記構成において、前記水栓本体は鏡操作部を備え、前記鏡は前記鏡操作部によって角度を調節可能とすることが好ましい。
【発明の効果】
【０００８】
以上のように本発明は、鏡の角度を調節可能とし、水栓本体の外面に沿って配置させたため、使い勝手と美観を向上させることができる。
【図面の簡単な説明】
【０００９】
【図１】（ａ）は、鏡を水栓本体の外面に沿って配置した水栓の斜視図。（ｂ）は、鏡を別の角度に調節した斜視図。
【図２】鏡を水栓本体の外面に沿って配置した水栓の平面図。
【図３】（ａ）は、鏡を水栓本体の外面に沿って配置した水栓の右側面図、（ｂ）は、鏡を別の角度に調節した水栓の右側面図。
【発明を実施するための形態】
【００１０】
以下、水栓の実施形態を図面に基づいて説明する。
本実施形態は、水，湯及び水と湯との混合水を吐水できるようにした、浴室用の湯水混合水栓（以下、単に水栓という）に具体化したものである。
【００１１】
図１（ａ）及び図２に示すように、水栓１０における水栓本体１６の後部の給水口及び給湯口（ともに図示しない）には、給水ジョイント１１及び給湯ジョイント１２がそれぞれ接続され、それらの給水ジョイント１１及び給湯ジョイント１２は、給水源から延びる配管及び給湯源から延びる配管（図示しない）にそれぞれ連結される。水栓本体１６の後部のシャワー吐出口１３には、シャワーホース１４が接続され、そのシャワーホース１４の先端にはシャワーヘッド（図示しない）が接続されている。水栓本体１６の下部にはカラン吐出口１５が設けられている。
【００１２】
図１（ａ）に示すように、水栓本体１６の右端には、吐水量調節ハンドル２０が設けられ、水栓本体１６の左端には温度調節ハンドル２１が設けられている。
また、水栓本体１６の前部には３つのボタンが左右に並んで設けられ、前部中央には後述のシャワー側押しボタン２２が、前部左側には後述のカラン側押しボタン２３が、前部右側には後述の鏡操作ボタン２４が、それぞれ配置されている。なお、シャワー側押しボタン２２及びカラン側押しボタン２３は、スプリング及びカム（ともに図示しない）の作用によるプッシュオン・プッシュオフタイプであって、１回目のボタン２２,２３に対する押し込みにより、同ボタン２２，２３は後退してその位置で保持され、２回目のボタン２２，２３に対する押し込みにより、同ボタン２２，２３は突出位置に復帰する。
【００１３】
そして、シャワー側押しボタン２２及びカラン側押しボタン２３の各ボタンが前方への突出状態にあるときには、シャワーヘッド及びカラン吐出口１５が止水状態にある。シャワー側押しボタン２２が押し込まれたときには、シャワーヘッドからのシャワー吐水が行われる。カラン側押しボタン２３が押し込まれたときには、カラン吐出口１５からの吐水が行われる。これらの吐水の場合、前記吐水量調節ハンドル２０を回転操作することにより、吐水量が調節される。また、温度調節ハンドル２１を回転操作することにより、吐水の温度が調節される。
【００１４】
水栓本体１６には、上部に鏡３０が設けられており、図１（ａ）、図２、図３（ａ）は、鏡３０を水栓本体１６の外面に沿って配置した場合の水栓１０を示している。鏡３０は、ガラス製の平面鏡で構成されている。
【００１５】
図１（ｂ）、図３（ｂ）は、鏡３０を、水栓本体１６の外面に沿って配置した状態から別の角度に調整した状態の斜視図と右側面図である。これらの図に示すように、水栓本体１６の上部には外面としての上面１７が設けられている。上面１７は、平面視で略長方形状であり、水平かつ平坦に設けられている。そして、鏡３０は平面視で上面１７と略同形状に設けられている。
【００１６】
鏡３０は、水平な状態で上面１７に沿う状態、つまり、鏡３０と水栓本体１６の上面１７とは、面で接する状態となっている。そして、鏡３０は、上面１７の平面視で表れる４つの辺（線分）のうち、前側の辺を回転軸Ａとして、回転移動できるように設けられている。なお、この明細書においては、鏡３０を前側へ回転移動する方向、つまり図３（ｂ）において反時計回り方向を正転方向とし、後側へ回転移動する方向、つまり図３（ｂ）において時計回り方向を逆転方向として説明する。
【００１７】
図１（ｂ）、図３（ｂ）に示すように、水栓本体１６の上面１７の右端には、鏡３０を支持するようにアーム３１が設けられている。アーム３１は、水栓本体１６の内外を連通するように上面１７に設けられた貫通孔１８に挿通されており、側面視で部分円環状（円弧状）かつ平面視で断面長方形状に形成されている。そして、アーム３１の上端は鏡が固定され、下端は水栓本体１６の内部の機構部（図示しない）に連結されている。さらにアーム３１は、上面１７から水栓本体１６の外側に露出した部分と水栓本体１６の内側に隠蔽された部分（図示しない）とが一体に、回転軸Ａを中心に回転移動可能に設けられている。また、貫通孔１８は、アーム３１が回転移動する際、干渉しない程度の大きさに形成されている。
【００１８】
水栓本体１６の前部右側には鏡操作部としての鏡操作ボタン２４が設けられている。鏡操作ボタン２４は押しボタンであり、指で押すと後退し、指を離すと後退した位置で保持されることなく、元の位置に復帰する。
鏡操作ボタン２４とアーム３１は、水栓本体１６に内蔵された機構部（図示しない）を介して連動するように構成されている。
【００１９】
次に、鏡３０の角度の調節方法について説明する。
鏡３０の正転方向への角度調節は、鏡操作ボタン２４によって行う。図１（ａ）、図３（ａ）に示す、鏡３０が水平な状態において、鏡操作ボタン２４を押すと、鏡操作ボタン２４の移動が水栓本体１６に内蔵の機構部を介して、アーム３１の回転運動に変換され、アーム３１は正転方向に回転移動する。同時に、アーム３１に支持された鏡３０が正転方向へ回転移動する。
【００２０】
鏡操作ボタン２４を１回押すと、鏡３０及びアーム３１は所定の角度分だけ正転方向へ回転移動してその位置で保持される。そして、鏡３０は、鏡操作ボタン２４を押すごとに所定の角度分だけ正転方向へ回転移動して保持され、最大移動角度まで段階的に移動させることができる。鏡３０が最大移動角度に保持された状態で鏡操作ボタン２４を押しても、鏡３０はそれ以上移動しない。本実施例では、鏡３０は、鏡操作ボタン２４を押すごとに１８°移動し、最大移動角度は９０°、つまり鉛直状態になるように設けられ、水平状態から数えて６段階の角度調節ができるように設けられている。
【００２１】
鏡３０の逆転方向への角度調節は、鏡操作ボタン２４は使用せず、手で鏡３０を逆転方向へ押すことによって行う。そして、適当な位置で鏡３０を押すことを止めると、その位置で保持される。つまり、逆転方向へは無段階で角度を調節することができ、正転方向ではできなかった角度の微調節ができる。
【００２２】
本実施形態においては、以下の効果がある。
（１）水栓本体１６の外面に備えた鏡３０は、角度を調節可能であり、使用者が姿勢を変えることなく使うことができるため、水栓１０の使い勝手を向上させる。
【００２３】
（２）鏡３０は、水栓本体１６の外面としての上面１７に沿って配置することで、水栓１０と一体感が生じるため、水栓１０の美観を向上させる。
【００２４】
（３）水栓１０は、水栓本体１６の上部に鏡３０が設けられているため、清掃性が良い。また、鏡３０は清掃等の摩擦に対して強いため、美観を長期的に保つことができる。
【００２５】
（４）鏡操作ボタン２４の操作により、鏡３０の角度を調節できるため、鏡３０の操作性を向上させる。
【００２６】
本実施形態は、以下のように変更して実施することができる。本実施形態及び以下の変更例は、技術的に矛盾しない範囲で互いに組み合わせて実施することができる。
・鏡３０を配置する位置は、水栓本体１０の上部だけに限定されず、前部等であってもよい。
・鏡３０は、沿わせた水栓本体１６の外面の範囲に収まるよう配置してもよいし、外面からはみ出るように配置してもよい。
【００２７】
・水栓本体１６の上面１７は実体として存在しない面であってもよい。すなわち、水栓本体１６の前面、右側面、左側面、背面の各上辺によって形成された仮想の面であってもよい。
・本実施形態において鏡３０が水栓本体１６の外面に沿って配置される状態とは、鏡３０が平坦な上面１７に対し平行に隙間なく接している状態であるが、鏡３０と水栓本体１６の一体感を失わない程度に鏡３０と上面１７が離間していてもよいし、鏡３０と上面１７が厳密に平行でなくともよい。
【００２８】
・鏡操作ボタン２４による鏡３０の角度の調節は、正転方向・逆転方向どちらに対して行ってもよく、両方向に対して行えるようにしてもよい。
・鏡３０の角度を調節する軸の方向は、実施形態の方向に限定されず、どのような方向であってもよい。また、一つの軸に対する調節だけでなく、複数の軸を組み合わせて調節可能に設けてもよい。さらに、ユニバーサルジョイント等を用いて３次元的に調節可能に設けてもよい。
【００２９】
・鏡３０は、鏡像を映すことのできるものであればよく、一般的な平面鏡の他、凹面鏡や凸面鏡、ハーフミラー等でもよい。
・鏡３０は、複数枚設けてもよい。
【００３０】
・鏡３０の形状は平面視で長方形状に限定されず、例えば円形状や多角形状であってもよい。
・鏡３０の材質はガラスに限定されず、例えば、アクリル等の樹脂製でもよいし、金属製であってもよい。
【００３１】
・鏡操作ボタン２４による鏡３０の操作の動力は限定されず、押込みによる鏡操作ボタン２４の変位を機械的に伝達する手動式でもよいし、モーター等を使用した電動式でもよい。
・鏡３０操作部の操作方式は押しボタン式に限定されず、例えば、ダイヤル式等であってもよい。
【符号の説明】
【００３２】
１０…水栓、１１…水栓本体、１７…上面（外面）、２０…吐水量調節ハンドル、    ２１…温度調節ハンドル、２４…鏡操作ボタン（鏡操作部）、３０…鏡、３１…アーム。
【図１】
2019138000.tif 000003
【図２】
2019138000.tif 000004
【図３】
2019138000.tif 000005